(57)【要約】【課題】新聞・チラシ等を積み重ねて収納したままの状態で、紐受け部にセットされた綴じ紐で縦横とも二重縛りに結束することができ、かつ容易に取り出すことを可能とする。【解決手段】上面が開放された長方形の箱状であり、底板の上面には新聞受け台座を設けて中央部に十字溝が形成されており、側板中央部に切り込み部、内側に半円柱状突起部を設け、側板は外側上部にＵ字状溝の紐受けガイド、下部に紐掛けフック、紐通しフック設けたことを特徴とする。また、紐通しフック及び側板切り込み部下部の紐掛け部、Ｕ字状溝の紐受けガイド、紐掛けフックの構成により綴じ紐を縦横ともに二重に掛け、二重縛りに結束することができ、側板の開閉により新聞・チラシ等の収納物を容易に取り出すことを可能としている。【選択図】    図１
0003121204.tif 000002
【実用新案登録請求の範囲】
【請求項１】
上面が開放された長方形の箱状であり、底板（１）の上面には新聞受け台座（２５，２６，２７，２８）を設けて中央部に十字溝（Ｅ）が形成されており、側板（２、３，４、５）は中央部に切り込み部（Ｄ）と、側番（２）の左上部、側番（４）の右上部にマジックテープ（登録商標）を設け、内側に半円柱状突起部を２箇所（１４、１５又は１６、１７又は１８，１９又は２０，２１）設けてあり、側板（３、４）は外側上部にＵ字状溝の紐受けガイド（６，７又は８，９）を要しており、側板（３）は切り込み部（Ｄ）の隣接下部に紐掛けフック（２２）、側板（２）は外側の左下部に紐通しフック（２４）、左上部にマジックテープ（登録商標）を設け、側板（５）は外側の右下部に紐通しフック（２３）とを備え、下部は蝶番により底板（１）に固定され、側番（２，４）とはマジックテープ（登録商標）での着脱を行い、開閉可能としたことを特徴とする二重縛り新聞ストッカー。
【請求項２】
紐通しフック及び側板切り込み部（Ｄ）下部の紐掛け部、Ｕ字状溝の紐受けガイド、紐掛けフックの構成により 綴じ紐を縦横ともに二重に掛け二重縛りに結束することができ、側番（５）はマジックテープ（登録商標）の着脱により開閉でき、新聞・チラシ等を簡単に取り出し可能としたことを特徴とする請求項１記載の二重縛り新聞ストッカー。
【考案の詳細な説明】
【技術分野】
【０００１】
この考案は、新聞・チラシ等を積み重ねて収納したままの状態で、綴じ紐で縦横とも二重縛りに結束することができ、且つ容易に取り出せる新聞ストッカーに
関するものである。
【背景技術】
【０００２】
従来の新聞ストッカーは、新聞を収納する前に底面に紐を十字型に敷いてその両端は側面の上部に掛けるか、又は上部側面の穴に通すものであった。また新 聞、雑誌の整理箱（特公開平０８−０５２９７４）においては、新聞などを収納後に特殊な器具を使用して底板の溝に紐を通して結束していた。
【特許文献１】特公開２００２−１６０７０８
【特許文献２】特公開２００２−０３７２３９
【０００３】
従来の紐が底面に敷いてあるものは、移動した時などに紐がずれた場合に斜めに束ねてしまい、強度な結束ができない原因になる場合があった。又、新聞の重みにより底面に敷いた紐を移動するのが大変であった。
【０００４】
紐の両端を上部側面の穴に通すものは、束ねる時に穴からいったんはずさなければならなかった。又、紐の両端を側面上部に掛ける仕組みの物は、収納途中でストッカーの内部に入り込んだ場合は、新聞を取り出し再度紐をセットしなければならず面倒であった。
【０００５】
新聞などの収納後に、特殊な器具を使用して底板の溝に紐を通して束ねる仕組みのものは、紐を通すのが難しく熟練が必要であった。
【考案の開示】
【考案が解決しようとする課題】
【０００６】
解決しようとする問題点は、新聞・チラシ等を簡単に強固に結束できない事と、簡単に取り出す事が出来ない点である。
【課題を解決するための手段】
【０００７】
上記課題を解決するために本考案の二重縛り新聞ストッカーは、プラスチック、金属、木材等の材料からなる、上面が開放された長方形の箱状であり、底板（１）の上面には新聞受け台座（２５，２６，２７，２８）を設けて中央部に十字溝（Ｅ）が形成されており、側板（２、３，４、５）は中央部に切り込み部（Ｄ）と、側番（２）の左上部、側番（４）の右上部にマジックテープ（登録商標）を設け、内側に半円柱状突起部を２箇所（１４、１５又は１６、１７又は１８，１９又は２０，２１）設けてあり、側板（３、４）は外側上部にＵ字状溝の紐受けガイド（６，７又は８，９）を要しており、側板（３）は切り込み部（Ｄ）の隣接下部に紐掛けフック（２２）、側板（２）は外側の左下部に紐通しフック（２４）、左上部にマジックテープ（登録商標）を設け、側板（５）は外側の右下部に紐通しフック（２３）とを備え、下部は蝶番により底板（１）に固定され、側番（２，４）とはマジックテープ（登録商標）での着脱を行い、開閉可能としたことを特徴とする二重縛り新聞ストッカー。
【０００８】
又、紐通しフック及び側板切り込み部（Ｄ）下部の紐掛け部、Ｕ字状溝の紐受けガイド、紐掛けフックの構成により綴じ紐を縦横ともに二重に掛け 二重縛りに結束することができ、側番（５）はマジックテープ（登録商標）の着脱により開閉でき、新聞・チラシ等を簡単に取り出し可能としたことを特徴とする請求項１記載の二重縛り新聞ストッカー。
【考案の効果】
【０００９】
以上説明したように本考案の二重縛り新聞ストッカーは、新聞・チラシ等を積み重ねて収納したままの状態で、綴じ紐で縦横ともに二重縛りに結束することができ、且つ容易に取り出すことができる。
【００１０】
また、綴じ紐は縦横とも収納物の中央部に位置することになり、より確実に強固に結束することが可能である。
【００１１】
さらに、ストッカー内部に有る綴じ紐は十字溝の隣接上部に位置し、収納物の重みにより十字溝の空間に収納され、結束時に綴じ紐の始端、終端を引き合うことにより結束部の調整が可能である。
【００１２】
また、綴じ紐はストッカー本体の内外部にあるが、始端が括り止めされ、終端が固定されている為、新聞・チラシ等の収納時にズレたりすることが無くなる。
【考案を実施するための最良の形態】
【００１３】
新聞紙・チラシなどの収納物などの強度な結束と、簡単に取り出し可能とする事を、ストッカー本体の側面に切り込み部を設け、側板上部に紐受けガイド、側板に紐かけフック、紐通しフックを設けることにより、閉じ紐をストッカー外部からストッカー内部を通し二重に紐をかけることにより、ストッカー上部での強度な結束を生み出す事が可能となり、またマジックテープ（登録商標）で側板の開閉が可能となったことにより、新聞紙・チラシなどの収納物を簡単に取り出すことを実現した。
【実施例１】
【００１４】
以下に、本考案の実施例について図面に基づき説明を行う。図１は本考案のストッカーの斜視図１である。図２は本考案のストッカーの斜視図２である。図３は本考案のストッカーの斜視図２である。図４は本考案のストッカーの平面図である。図4は本考 案のストッカーの透視図である。図５は本考案のストッカーに綴じ紐が配置された透視図である。
【００１５】
図１、図２ を用いて本考案の二重縛り新聞ストッカーの構造について説明する。プラスチック、金属、木材等の材料からなる上面が開放された長方形の箱状であり、底板（１）の上面には新聞受け台座（２５，２６，２７，２８）を設け、中央部に十字溝（Ｅ）が形成されており、側板（２、３，４、５）は中央部に切り込み部と、内側に半円柱状突起部を２箇所（１４、１５又は１６、１７又は１８，１９又は２０，２１）設けてあり、側板（３、４）は外側上部にＵ字状溝の紐受けガイド（６，７又は８，９）を要しており、側板（３）は切り込み部の隣接下部に紐掛けフック（２２）、側板（２）は外側の左下部に紐通しフック（２４）を設けており、側板（５）は外側の右下部に、紐通しフック（２３）とを備えて構成される。
【００１６】
図１、図２のように、側板（２、３，４、５）は、内側に半円柱状突起部をそれぞれ２箇所（１４、１５又は１６、１７又は１８，１９又は２０，２１）設け
てあり、新 聞・チラシ（Ｆ）などの収納物との接触面を減らし収納物が取り出し易い構造としている。
【００１７】
図３のように、底板（１）の上面には新聞受け台座（２５，２６，２７，２８）を設け、中央部に十字溝（Ｅ）の空間を形成している。綴じ紐の紐Ｂ、紐Ｃは
配置された直後にストッカー内では十字溝の隣接上部に位置しているが、収納物の新聞・チラシ（Ｆ）等の重みにより十字溝（Ｅ）の空間部に収納され、新聞・チラシ（Ｆ）に紐Ｂ、紐Ｃが着圧されるのを防ぎ、結束時に綴じ紐が自由に移動可能としている。
【００１８】
側板（３）は切り込み部（Ｄ）の隣接下部に紐掛けフック（２２）を設け、紐Ｂが紐受けガイド（７）のＵ字状溝に配置後に紐掛けフック（２２）に掛けられ
紐受けガイド（６）のＵ字状溝に配置されるようにして、紐Ｃと交差しないような構造としている。
【００１９】
図６、図７、図８を用いて紐Ｃの掛け方を説明する。
図６のように、紐Ｃの始端は側板（２）の紐通しフック（２４）に括り止めされ、紐Ｃは側板（２）の外側から紐掛け部（１０ａ）に掛けられストッカー内部
を通過し、相対する側板（４）の紐掛け部（１２ａ）に内側から外側へ掛けられる。
【００２０】
さらに、図７のように側板（３）の紐受けガイド（７）のＵ字状溝に這わせから紐掛けフック（２２）に掛けられ、次に側板（３）の紐受けガイド（６）のＵ
字状溝に這わせ、側板（２）の紐掛け部（１０ｂ）に外側から内側に向かい掛けられる。
【００２１】
さらに、図８のようにストッカー内部を通過し相対する側板（４）の紐掛け部（１２ａ）に内側から外側へ掛けられ、側板（３）の紐受けガイド（７）のＵ字
状溝に這わせ紐固定用切り欠き（２９）に紐を固定して垂らし紐を切断する。
【００２２】
図９、図１０、図１１を用いて紐Ｂの掛け方を説明する。
図９のように、紐Ｂの始端は側板（５）の紐通しフック（２３）に括り止めされ、紐Ｂは側板（５）の外側から紐掛け部（１３ｂ）に掛けられストッカー内部
を通過し、相対する側板（３）の紐掛け部（１１ｂ）に内側から外側へ掛けられる。
【００２３】
さらに、図１０に側板（４）の紐受けガイド（８）、紐受けガイド（９）のＵ字状溝に這わせ、側板（５）の紐掛け部（１３ａ）に外側から内側に向かい掛けら
れ、ストッカー内部を通過し相対する側板（３）の紐掛け部（１１ｂ）に掛けられる。
【００２４】
さらに、図１１のように側板（４）の紐受けガイド（８）のＵ字状溝に這わせ紐固定用切り欠き３０に紐を固定して垂らし紐を切断する。
【００２５】
図１２、図１３、図１４、図１５、図１６、図１７、図１８を用いて紐Ｂの二重縛りの方法を説明する。
図１２、図１３のように、ストッカーに新聞・チラシ（Ｆ）が収納されている状態で、紐固定用切り欠き（３０）より紐Ｂ終端（Ｂ−３）をはずし、紐受けガ
イド（８）のＵ字状溝に配置されている２本の紐Ｂ（Ｂ−３、Ｂ−２）を持ち上げて新聞・チラシ（Ｆ）の中央に移動し、さらに紐通しフック（２３）に括り止めされた紐Ｂの始端（Ｂ−１）をはずし新聞・チラシ（Ｆ）の中央に移動する。
【００２６】
図１４、図１５のように、紐Ｂの始端（Ｂ−１）、終端（Ｂ−３）を両手で片方ずつ持ち引き合って新聞・チラシ（Ｆ）を圧縮する、そのまま紐Ｂの始端（Ｂ
−１）を後ろ側とし、終端（Ｂ−３）を交差させ絡むように１８０度回転させ、手前側になった紐Ｂの始端（Ｂ−１）を紐Ｂの中端（Ｂ−２）、始端（Ｂ−１）の下に向こう側から手前に潜らせて引く、この時点で紐Ｂの始端（Ｂ−１）、終端（Ｂ−３）とも固定される。
【００２７】
図１６、図１７、図１８のように、紐Ｂの終端（Ｂ−３）で輪をつくりこの輪の中に、紐Ｂの始端（Ｂ−１）を折り返して作ったＵ字状の折返し部分を半分程潜らせ、紐Ｂの終端（Ｂ−３）を引き、二重縛りで結束する。
【００２８】
紐Ｃも同様に紐固定用切り欠き（２９）より紐Ｃの終端（Ｃ−３）、紐掛けフック（２２）より紐Ｃの中端（Ｃ−２）をはずし、紐受けガイド（７）のＵ字状
溝にある２本の紐Ｃ（Ｃ−３、Ｃ−２）を持ち上げて新聞・チラシ（Ｆ）の中央に移動し、さらに紐通しフック（２４）に括り止めされた紐Ｃの始端（Ｃ−１）をはずし、新聞・チラシ（Ｆ）の中央に移動し紐Ｂと同様に二重縛りで結束する。
【図面の簡単な説明】
【００２９】
【図１】本考案のストッカーの斜視図１である。
【図２】本考案のストッカーの斜視図２である。
【図３】本考案のストッカーの平面図である。
【図４】本考案のストッカーの透視図である。
【図５】本考案のストッカーに綴じ紐が配置された透視図である。
【図６】本考案のストッカーの横紐掛け説明図１である。
【図７】本考案のストッカーの横紐掛け説明図２である。
【図８】本考案のストッカーの横紐掛け説明図３である。
【図９】本考案のストッカーの縦紐掛け説明図１である。
【図１０】本考案のストッカーの縦紐掛け説明図２である。
【図１１】本考案のストッカーの縦紐掛け説明図３である。
【図１２】本考案のストッカーの縦紐結束説明図１である。
【図１３】本考案のストッカーの縦紐結束説明図２である。
【図１４】本考案のストッカーの縦紐結束説明図３である。
【図１５】本考案のストッカーの縦紐結束説明図４である。
【図１６】本考案のストッカーの縦紐結束説明図５である。
【図１７】本考案のストッカーの縦紐結束説明図６である。
【図１８】本考案のストッカーの縦紐結束説明図７である。
【図１９】本考案のストッカーの縦紐結束説明図８である。
【図２０】本考案のストッカーの側番（５）を開放した説明図である。
【符号の説明】
【００３０】
Ａ       ストッカー本体
Ｂ       紐Ｂ
Ｂ−１  紐Ｂの始端
Ｂ−２  紐Ｂの中端
Ｂ−３  紐Ｂの終端
Ｃ       紐Ｃ
Ｄ       切り込み部
Ｅ       十字溝
Ｆ       新聞・チラシ
１       底板
２       側板 
３       側板 
４       側板
５       側板 
６       紐受けガイド
７       紐受けガイド
８       紐受けガイド
９       紐受けガイド
１０ａ   紐掛け部
１０ｂ   紐掛け部
１１ａ   紐掛け部
１１ｂ   紐掛け部
１２ａ   紐掛け部
１２ｂ   紐掛け部
１３ａ   紐掛け部
１３ｂ   紐掛け部
１４     半円柱状突起部
１５     半円柱状突起部
１６     半円柱状突起部
１７     半円柱状突起部
１８     半円柱状突起部
１９     半円柱状突起部
２０     半円柱状突起部
２１     半円柱状突起部
２２     紐掛けフック
２３     紐通しフック
２４     紐通しフック
２５     新聞受け台座
２６     新聞受け台座
２７     新聞受け台座
２８     新聞受け台座
２９     紐固定用切り欠き
３０     紐固定用切り欠き
３１     眺番
３２     眺番
３３    マジックテープ（登録商標）
３４    マジックテープ（登録商標）
【図１】
0003121204.tif 000003
【図２】
0003121204.tif 000004
【図３】
0003121204.tif 000005
【図４】
0003121204.tif 000006
【図５】
0003121204.tif 000007
【図６】
0003121204.tif 000008
【図７】
0003121204.tif 000009
【図８】
0003121204.tif 000010
【図９】
0003121204.tif 000011
【図１０】
0003121204.tif 000012
【図１１】
0003121204.tif 000013
【図１２】
0003121204.tif 000014
【図１３】
0003121204.tif 000015
【図１４】
0003121204.tif 000016
【図１５】
0003121204.tif 000017
【図１６】
0003121204.tif 000018
【図１７】
0003121204.tif 000019
【図１８】
0003121204.tif 000020
【図１９】
0003121204.tif 000021
【図２０】
0003121204.tif 000022